(57)【特許請求の範囲】
【請求項１】
送風機、前記送風機のケーシングおよび前記送風機の上部に備えた熱交換器を有す温風暖房機において、下吹き暖房時に室内空気を吸い込むための下吹き用吸込み口と上吹き暖房時に室内空気を吸い込むために床面近傍に設けた上吹き用吸込み口とを切り換える風回路切り換え手段と、上吹き暖房時に温風を吹き出すための上吹き用吹き出し口と、前記上吹き用吹き出し口に設けた風向変更羽根と、前記下吹き用吸い込み口近傍に位置し、前記風回路切り換え手段によって前記送風機の吹き出し側になる時は閉じ、吸い込み側になる時は開く開閉機構を有する温風暖房機。
【請求項２】
開閉機構は開く場合も閉じる場合も送風機による風圧によって自然開閉する構成とした請求項１記載の温風暖房機。
【請求項３】
開閉機構は両端に支持軸を有する複数枚のルーバーによって構成された請求項１または請求項２記載の温風暖房機。
【請求項４】
開閉機構は逆止機能を有するエアフイルタによって構成された請求項１または請求項２記載の温風暖房機。
【請求項５】
開閉機構は一辺を固定された複数のリボン状薄膜によって構成された請求項１または請求項２記載の温風暖房機。
【請求項６】
開閉機構は一端面を束ねて固定された細くて短い糸の束をエアフイルタの片面に植毛して構成された請求項１または請求項２記載の温風暖房機。
【請求項７】
開閉機構は熱応動によって自然開閉する構成とした請求項１記載の温風暖房機。
【請求項８】
開閉機構は形状記憶合金で形成された複数枚のルーバーによって構成された請求項１または請求項７記載の温風暖房機。
【請求項９】
開閉機構は熱膨張体を封入した弾性体チューブを複数本並べて構成された請求項１または請求項７記載の温風暖房機。
【請求項１０】
熱膨張体を封入した弾性体チューブはコの字形状のケース内に一端を固定して構成された請求項９記載の温風暖房機。
【発明の詳細な説明】
【０００１】
【発明の属する技術分野】
本発明は温風暖房機の定常時の快適性を得る構成に関するものである。
【０００２】
【従来の技術】
従来のこの種の温風暖房機は図１５に示すものが一般的に知られている。以下、その構成について図１５を参照しながら説明する。図１５に示すように、シスターン１、ボイラ２、ポンプ３から構成された室外機４は、上方に配置した熱交換器５や下方に配置した送風機６から構成された室内機７と、接続配管８で接続されている。また、前記室内機７の上部には吸い込み口９が、下部には吹き出し口１０が設けらている。１１は室温検出手段を示す。
【０００３】
この温風暖房機の動作を説明すると、室外機４のボイラ２が動作してポンプ３によって室内機７に送られてきた温水の温度が所定の温度以上になれば、送風機６が運転を開始し、室内の空気は上部に設けた吸い込み口９から吸い込まれ、熱交換器５で温水と熱交換して加熱されて温風となって下部に設けられた吹き出し口１０から吹き出される。そして、室温検出手段１１が検出した吸い込み温度が設定温度以上になれば送風機６を停止し、設定温度より低くなれば送風機６を再運転することによって室内温度を制御している。さらに、能力制御や低騒音化や気流感の防止のために、室温検出手段１１で検出した吸い込み温度と設定温度との差に応じて、強風、弱風、微風というように、吸い込み温度が設定温度に近づくほど風量を小さくしている。
【０００４】
また、上下吹き出しを切り換えるこの種の温風暖房機としては、特公昭６１−３８７７７号公報に記載されているものがある。この温風暖房機は図１６に示すように、室内機７の前面には吸い込み口９が形成され、さらに前面下部と上部には下吹き出し口１０Ａおよび上吹き出し口１０Ｂがそれぞれ形成されている。そして、前記吸い込み口９に対向する位置に熱交換器５が設けられ、さらに、この熱交換器５に対応して送風機６が設けられている。また、下吹き出し口１０Ａ、上吹き出し口１０Ｂにそれぞれ対応して設けられた下部ダンパ１２Ａ、上部ダンパ１２Ｂは吹き出し口切り換え手段としてのダンパモータ１３で切り換えを行う。
【０００５】
この温風暖房機の動作を説明すると、室内温度が設定温度以下の場合には、ダンパモータ１３が動作して、図１６（ａ）に示すように、下部ダンパ１２Ａは下吹き出し口１０Ａを開き、上部ダンパ１２Ｂでは上吹き出し口１０Ｂを閉じ、下吹き出し口１０Ａから温風を吹き出す。また、室内温度が設定温度以上になり暖房運転中断の場合には、図１５（ｂ）に示すように、ダンパモータ１３が動作して下部ダンパ１２Ａは下吹き出し口１０Ａを閉じ、上部ダンパ１２Ｂはで上吹き出し口１０Ｂを開き、上吹き出し口１０Ｂから風を吹き出す。
【０００６】
上記図１５、図１６に示す従来例の温風暖房機では、室内温度の吸い込み温度が設定温度に近づくほど風量を小さくしていたため、温風はすぐに上昇し、部屋の温度分布が悪いものであった。
【０００７】
また、図１７は室内機７が設置された部屋の空間の斜視図であり、図１８は図１７のＡ面における弱風や微風時の温度分布を示したものである。図１９は図１７のＢ、Ｃ面各面それぞれの、各高さにおいて水平方向の温度の平均を求めて、その分布を示したものである。なお、一点鎖線は部屋全体の平均温度である。
【０００８】
【発明が解決しようとする課題】
図１７と図１８からわかるように従来例では弱風や微風のように風量が小さくなると、温風の温度は高くなり、すぐに上昇し、さらに、吸い込み口９が吹き出し口１０よりも上部にあるため上昇した温風は床面付近に戻ることがないため、温風暖房機の付近や天井近
くは温かいがそれ以外の場所の温度が低くなっている。
【０００９】
そのため、快適な居住空間が狭く、部屋全体を有効に使えないという課題を有していた。
【００１０】
この課題を解決するために、仮に風量を大きくする（室温が設定温度に近づくと必要暖房能力が小さくなるので風量を大きくすると温水温度を下げるなどして吹き出し温度を下げなければならない）と、気流感や冷風感があり、また、騒音も大きくなるので、快適性が損なわれるという課題がある。
【００１１】
また、前述したように、室内温度の吸い込み温度が設定温度に近づくほど風量を小さくするように制御しているので、室温の変動に応じて送風機６の回転数が変化し、それに伴って騒音値も変化するため、耳障りで不快であった。
【００１２】
さらに、室内温度の吸い込み温度が設定温度以上になると送風機６を停止するため、天井付近の温度は余り変化しないが、床面温度は比較的速く温度が下がり、すぐに足元が寒くなるという課題がある。
【００１３】
また、上記図１６の従来例の温風暖房機の場合も、基本的には図１５の従来例の温風暖房機の場合と同様、風量が小さいと部屋の温度分布が悪くなり、風量が大きいと騒音や気流感や冷風感があるので、快適性が損なわれるという課題がある。そこで本発明は上記する従来例の課題を解決することを目的とするものである。
【００１４】
【課題を解決するための手段】
本発明は上記課題を解決するため、送風機、前記送風機のケーシングおよび前記送風機の上部に備えた熱交換器を有す温風暖房機において、下吹き暖房時に室内空気を吸い込むための下吹き用吸込み口と上吹き暖房時に室内空気を吸い込むために床面近傍に設けた上吹き用吸込み口とを切り換える風回路切り換え手段と、上吹き暖房時に温風を吹き出すための上吹き用吹き出し口と、前記上吹き用吹き出し口に設けた風向変更羽根と、前記下吹き用吸い込み口近傍に位置し、前記風回路切り換え手段によって前記送風機の吹き出し側になる時は閉じ、吸い込み側になる時は開く開閉機構を有する温風暖房機とした。
【００１５】
上記発明によれば、暖房負荷が小さい場合、風回路を上吹出しへ切り換えると下吹き用吸い込み口が自然に閉止して、温側吹き出し口から吹き出された比較的高い温度の温風の吹き出し速度を大きくできるため、より遠くまで温風を循環し、床面近傍に設けた上吹き用吸い込み口から吸い込まれるので、部屋の上下温度差が小さく、気流感もない、快適な居住空間を得ることができる。
【００１６】
また、フイルタへの風の逆流が止められることで、下吹き時にフイルタに付着した埃を飛散させることがない。
【００１７】
また、自然開閉する開閉機構とすることで、開閉機構を駆動するための動力を必要としないので、大幅な省エネルギー効果が得られる。
【００１８】
【発明の実施の形態】
上記課題を解決するため請求項１記載の発明は、送風機、前記送風機のケーシングおよび前記送風機の上部に備えた熱交換器を有す温風暖房機において、下吹き暖房時に室内空気を吸い込むための下吹き用吸込み口と上吹き暖房時に室内空気を吸い込むために床面近傍に設けた上吹き用吸込み口とを切り換える風回路切り換え手段と、上吹き暖房時に温風を吹き出すための上吹き用吹き出し口と、前記上吹き用吹き出し口に設けた風向変更羽根
と、前記下吹き用吸い込み口近傍に位置し、前記風回路切り換え手段によって前記送風機の吹き出し側になる時は閉じ、吸い込み側になる時は開く開閉機構を有する温風暖房機である。
【００１９】
そして、暖房負荷が小さい場合、風回路を上吹出しへ切り換えると下吹き用吸い込み口が自然閉止して、温側吹き出し口から吹き出された比較的高い温度の温風の吹き出し速度を大きくできるため、より遠くまで循環し、床面近傍に設けた上吹き用吸い込み口から吸い込まれるので、部屋の上下温度差が小さく、気流感もない、快適な居住空間を得ることができる。
【００２０】
また、フイルタへの風の逆流が止められることで、下吹き時にフイルタに付着した埃を飛散させることがない。
【００２１】
また、自然開閉する開閉機構とすることで、開閉機構を駆動するための動力を必要としないので、大幅な省エネルギー効果が得られる。
【００２２】
また、請求項２記載の発明は、開閉機構は開く場合も閉じる場合も送風機による風圧によって自然開閉する構成とした請求項１記載の温風暖房機である。
【００２３】
そして、下吹き用吸い込み口の前後の空気の流れにより発生する風圧を利用するので、開閉機構を駆動するための特別な動力を必要としなく、大幅な省エネルギー効果が得られる。
【００２４】
また、請求項３記載の発明は、開閉機構は両端支持軸を有する複数枚のルーバーによって構成された請求項１または請求項２記載の温風暖房機である。
【００２５】
そして、ルーバーを複数枚とすることで一枚のルーバーが小型軽量となり開閉に必要な風圧が少なくてすむために確実な開閉が可能となる。
【００２６】
また、請求項４記載の発明は、開閉機構は逆止機能を有するエアフイルタによって構成された請求項１または請求項２記載の温風暖房機である。
【００２７】
そして、開閉機構とエアフイルタの機能が一体化構成となることで、構造を簡素化できる。
【００２８】
また、請求項５記載の発明は、開閉機構は一辺を固定された複数のリボン状薄膜によって構成された請求項１または請求項２記載の温風暖房機である。
【００２９】
そして、リボン状薄膜を使用することで軽量化となる。
また、請求項６記載の発明は、開閉機構は一端面を束ねて固定された細くて短い糸の束をエアフイルタの片面に植毛して構成された請求項１または請求項２記載の温風暖房機である。
【００３０】
そして、短い糸の束を使用することでエアフイルタを薄型・軽量化できる。
また、請求項７記載の発明は、開閉機構は熱応動によって自然開閉する構成とした請求項１記載の温風暖房機である。
【００３１】
そして、下吹き時室温の風で開となり、上吹き時熱交換器を通過した高温の温風温度で閉となる熱応動にすることで、動力を全く必要としないため、省エネルギーとなる。
【００３２】
また、請求項８記載の発明は、開閉機構は形状記憶合金で形成された複数枚のルーバーによって構成された請求項１または請求項７記載の温風暖房機である。そして、ルーバー自体が形状記憶合金のため、ルーバー駆動に他の機構（バネとか軸受け等）を必要とせず、構造の簡略化が図れる。
【００３３】
また、請求項９記載の発明は、開閉機構は熱膨張体を封入した弾性体チューブを複数本並べて構成された請求項１または請求項７記載の温風暖房機である。
【００３４】
そして、下吹き時室温の風で熱膨張体を封入した弾性体チューブは収縮して下吹き用吸い込み口が開となり、上吹き時熱交換器を通過した高温の温風温度で熱膨張体を封入した弾性体チューブは膨張して下吹き用吸い込み口が閉となることで、動力を全く必要としないため、省エネルギーとなる。
【００３５】
また、請求項１０記載の発明は熱膨張体を封入した弾性体チューブはコの字形状のケース内に一端を固定して構成された請求項９記載の温風暖房機である。
そして、弾性体チューブは確実に固定され動作保証が確保できる。
【００３６】
【実施例】
以下、本発明の実施例について図面を用いて説明する。
【００３７】
（実施例１）
図１は本発明の実施例１の下吹き出し状態の温風暖房機を示す構成図、図２は同上吹き出し状態の温風暖房機を示す構成図、図３は同温風暖房機の開閉機構の斜視図、図４は上吹き出し風量に対する上下温度差を示す同温風暖房機の説明図、図５は熱交換器通過風量に対する熱交換器の暖房能力を示す同温風暖房機の説明図、図６は同温風暖房機の気流説明図、図７は同温風暖房機の垂直温度分布説明図である。
【００３８】
図１、図２、図３において、シスターン１、ボイラ２およびポンプ３を順次連結して構成される室外機４と、熱交換器５、送風機６などから構成される室内機７とは接続配管８で接続されている。前記室内機７の背面の上側には下吹き用吸い込み口９Ａが、下部には上吹き用吸い込み口９Ｂが設けられている。さらに、前記室内機７の前面の下側には下吹き出し口１０が設けられている。また、１４はステッピングモーター、歯車の組合せ等（図示せず）で構成された風回路切り換え手段であり、この風回路切り換え手段１４は前記送風機６のケーシング１５を歯車等（図示せず）の動力伝達により前記送風機６の回転軸１６と略同一中心で回転させ、上吹き出しと下吹き出しの送風回路を切り換えるものである。さらに、前記送風機６の上部に設けられたバイパス風回路１７は上吹き出し時に前記熱交換器５を通過しない送風路である。また、前記室内機７の上部には前記熱交換器５を通過した空気を吹き出す温側吹き出し口１８と前記熱交換器５を通過しない空気を吹き出す冷側吹き出し口１９との上吹き用吹き出し口が設けられている。また、風向変更手段２０は前記温側吹き出し口１８と冷側吹き出し口１９とにそれぞれ設けられた温側風向変更羽根２１と冷側風向変更羽根２２との風向変更羽根の駆動を行うものである。
【００３９】
２３は下吹き用吸い込み口９Ａを開閉する開閉機構であり、図３に示すように支持軸受け２４に支持される支持軸２５を両端に有する複数枚のルーバー２６で構成される。２７は下吹き用吸い込み口９Ａに設けられたエアフイルタ、２８は風回路切り換え制御手段である。
【００４０】
次に動作、作用について説明する。
【００４１】
室内の温度が低く、暖房負荷が大きいときには下吹き出し状態で暖房を行う。
【００４２】
すなわち、風回路切り換え制御手段２８の制御信号により風回路切り換え手段１４はケーシング１５を送風機６の回転軸１６を中心に下向きに回転させ、さらに、風向変更手段２０は温側風向変更羽根２１で温側吹き出し口１８を閉じ、冷側風向変更羽根２２で冷側吹き出し口１９を閉じることによって下吹き出し状態を設定する。この時、開閉機構２３は送風機６の吸い込み側に位置する。そして、送風機６を駆動すると開閉機構２３の熱交換器５側が負圧となりルーバー２６が開き、下吹き用吸い込み口９Ａから空気吸い込まれ、風が流れる。即ち複数枚のルーバー２６で構成された開閉機構２３は風圧によって開く。そして、室外機４のボイラ２が動作してポンプ３によって室内機７に送られてきた温水と、送風機６によって下吹き用吸い込み口９Ａから吸い込まれた空気とが、熱交換器５で熱交換して、吸い込まれた空気は加熱されて温風となって下吹き出し口１０から吹き出される。
【００４３】
次に、室内の温度が上昇し、暖房負荷が小さいときには上吹き出し状態で暖房を行う。すなわち、風回路切り換え制御手段２８の制御信号により風回路切り換え手段１４はケーシング１５を送風機６の回転軸１６を中心に上向きに回転させ、さらに、風向変更手段２０は温側風向変更羽根２１と冷側風向変更羽根２２とを動作させ、それぞれ温側吹き出し口１８と冷側吹き出し口１９との上吹き用吹き出し口を開口することによって上吹き出し状態を設定する。この時、開閉機構２３は送風機６の吹き出し側に位置する。そして、送風機６を駆動すると開閉機構２３の熱交換器５側が高圧となりルーバー２６が閉じる。即ち複数枚のルーバー２６で構成された開閉機構２３は風圧によって閉じる。そして、送風機６によって上吹き用吸い込み口９Ｂから吸い込まれた空気の一部は、下吹き出し状態の場合と同様、熱交換器５で加熱され、温側吹き出し口１８から吹き出される。このとき下吹き用吸い込み口９Ａは開閉機構２３で閉じられているため、熱交換器５を通過した温風はすべて温側吹き出し口１８から吹き出され、フイルタ２７への風の逆流が止められることで、下吹き時にフイルタ２７に付着した埃を飛散させることがない。また、送風機６によって上吹き用吸い込み口９Ｂから吸い込まれた上記以外の空気は、熱交換器５を通過ぜずに、バイパス風回路１７を通って、冷側吹き出し口１９から吹き出される。
【００４４】
図４は、横軸に上吹き状態で吹き出される空気の風量をとり、縦軸に部屋の上下の温度差（例えば、床上１８００mmでの水平面の平均温度と床上５０mmでの水平面の平均温度との差）をとって、暖房負荷Ｑに見合う暖房能力Ｑで部屋を暖房した場合の風量と部屋の上下の温度差の関係を示したものである。また、図５は、横軸に熱交換器５を通過する風量をとり、縦軸に熱交換器５の暖房能力をとって、熱交換器５の通過風量と暖房能力の関係を示したものである。今、図４において、部屋の上下温度差をＴにするためには風量Ｖが必要である。仮に、この風量Ｖをすへて熱交換器５に通せば、その時の暖房能力は、図５からわかるように、Ｑａとなる。しかし、この暖房能力Ｑａは、室内の温度が上昇し暖房負荷が小さいときには、暖房負荷に見合った暖房能力Ｑよりもかなり大きくなり、部屋の温度が希望する温度よりも高くなってしまう。そこで、送風機６によって上吹き用吸い込み口９Ｂから吸い込まれた風量Ｖのうちで暖房能力Ｑに必要な風量Ｖｅｘは、熱交換器５を通過し温側吹き出し口１８から吹き出す。また、送風機６によって上吹き用吸い込み口９Ｂから吸い込まれた残りの風量（Ｖ−Ｖｅｘ）は、熱交換器５を通過ぜずに、バイパス風回路１７を通って冷側吹き出し口１９から吹き出される。
【００４５】
図６は図１７のＡ面における下吹き出し状態と上吹き出し状態での温風の循環経路を示したものであり、図６において、実線矢印は上吹き出し状態、点線矢印は下吹き出し状態の循環経路である。図６からわかるように、上吹き出し状態では、上に吹き出した空気の多くが天井面や壁面に沿って流れ、最終的に、床面近傍に設けた上吹き用吸い込み口９Ｂより吸い込まれるので、温風は部屋全体に広がることがわかる。
【００４６】
図７は図１７のＢ、Ｃ面各面それぞれにおいて、各高さにおける水平方向の温度の平均を求めて、その分布を示したものである。なお、一点鎖線は部屋全体の平均温度であり、細い実線は図１８で示す従来例の場合であり、太い実線は本発明の場合である。図７からわかるように従来例と比較して、上下の温度差が少なく、また、部屋全体も均一である。特に、室内機７と対向する壁付近の床温度は従来例と比べて高くなっていることがわかる。
【００４７】
また、風回路を上吹出しへ切り換えると開閉機構２３は風圧によって自然閉止して下吹き用吸込み口９Ａを閉とすることにより、熱交換器５を通った温風は温側吹き出し口１８から吹き出されることで、比較的高い温度の温風の吹き出し速度を大きくできるため、天井面に達して全体に広がり、より遠くまで循環し、さらに、壁面に沿って降下し床面に達した後、床面に沿って流れ、床面近傍に設けた上吹き用吸い込み口から吸い込まれるので、部屋の上下温度差が小さく、気流が部屋全体に広がるので気流感、冷風感もなく、快適な居住空間を得ることができる。
また、自然開閉する開閉機構２３とすることで、開閉機構２３を駆動するための動力を必要としないので、大幅な省エネルギー効果が得られる。
【００４８】
また、下吹き用吸い込み口９Ａを開閉する開閉機構２３を下吹き用吸い込み口９Ａの前後の空気の流れにより発生する風圧を利用することで、開閉機構２３を駆動するための特別な動力を必要としないので、大幅な省エネルギー効果が得られる。また、ルーバー２６を複数枚とすることで一枚のルーバーが小型軽量となり開閉に必要な風圧が少なくてすむために確実な開閉が可能となる。
【００４９】
（実施例２）
図８は本発明の実施例２の開閉機構の斜視図である。
【００５０】
本実施例２において、実施例１と異なる点は、エアフイルタ２７に複数のリボン状薄膜２９の一辺を固定した構成とした点である。
【００５１】
（実施例３）
図９は本発明の実施例３の開閉機構の斜視図、図１０（ａ）は同開閉機構の開時を示す部分構成図、図１０（ｂ）は同開閉機構の閉時を示す部分構成図である。
【００５２】
図９において、一端面を束ねて固定された細くて短い糸の束２９をエアフイルタ２７の片面に植毛して構成されている。図１０（ａ）の矢印に示す風の流れの場合は束ねた糸が流れによってまとまり、各糸の束２９の間に隙間ができて風を通過させる、一方、図１０（ｂ）の矢印に示す風の流れの場合は束ねた糸が流れによって広がり、各糸の束２９の間に隙間がなくなり風の通過を遮断する。
【００５３】
このように、開閉機構２３を逆止機能を有するエアフイルタとして構成することで、開閉機構２３とエアフイルタ２７の機能が一体化構成となり、構造を簡素化できる。
【００５４】
（実施例４）
図１１（ａ）は本発明の実施例４の下吹き出し状態の温風暖房機を示す構成図、図１１（ｂ）は同上吹き出し状態の温風暖房機を示す構成図である。
【００５５】
図１１（ａ）、図１１（ｂ）において、開閉機構２３のルーバー３１自体を形状記憶合金で形成し、例えば３５℃以下では図１１（ａ）に示すように開く状態に、４０℃以上では図１１（ｂ）ように閉じる状態に設定する。
【００５６】
次に動作、作用について説明する。
【００５７】
室内の温度が低く、暖房負荷が大きいときには下吹き出し状態で暖房を行う。
【００５８】
この時開閉機構２３のルーバー３１は通常３０℃以下の低い室温にさらされるため、図１１（ａ）のように開く。一方、室内の温度が上昇し、暖房負荷が小さいときには上吹き出し状態で暖房を行う、この時は、ルーバー３１は熱交換器５で加熱された通常４０℃以上の温風にさらされるため、図１１（ｂ）のように閉じる。
【００５９】
このように、開閉機構は熱応動によって自然開閉する構成としたことで、動力を全く必要としないため、省エネルギーとなる。
【００６０】
また、ルーバー自体が形状記憶合金であるため、ルーバー駆動に他の機構（バネとか軸受け等）を必要とせず、構造の簡略化が図れる。
【００６１】
（実施例５）
図１２（ａ）は本発明の実施例５の下吹き出し状態の温風暖房機を示す構成図、図１２（ｂ）は同上吹き出し状態の温風暖房機を示す構成図、図１３（ａ）は下吹き出し状態の開閉機構の断面図、図１３（ｂ）は上吹き出し状態の開閉機構の断面図、図１４は同開閉機構の一素子の斜視図である。
【００６２】
図１２（ａ）、図１２（ｂ）、図１３（ａ）、図１３（ｂ）、図１４において、開閉機構２３は熱膨張体３２を封入した弾性体チューブ３３をコの字形状のケース３３内に一端を固定して複数本並べて構成される。熱膨張体３２は、例えば３５℃以下で凝縮液化し、４０℃以上で蒸発気化する特性を有する物質である。そして、図１３（ａ）に示すように弾性体チューブ３３が収縮開く状態に、４０℃以上では図１１（ｂ）ように閉じる状態に設定する。
【００６３】
次に動作、作用について説明する。
【００６４】
室内の温度が低く、暖房負荷が大きいときには下吹き出し状態で暖房を行う。
【００６５】
この時、開閉機構２３の熱膨張体３２は通常３０℃以下の低い室温にさらされるため、凝縮液化し、体積収縮するので、図１３（ａ）  に示すように弾性体チューブ３３が収縮して、通路３４が開く状態になる。一方、室内の温度が上昇し、暖房負荷が小さいときには上吹き出し状態で暖房を行う、この時は、熱膨張体３２は熱交換器５で加熱された通常４０℃以上の温風にさらされるため、蒸発気化し、体積膨張するので、図１３（ｂ）のように弾性体チューブ３３が膨張して、通路３４が閉じる状態となる。
【００６６】
このように、熱膨張体３２を封入した弾性体チューブ３３をコの字形状のケース３５内に一端を固定して構成することで、弾性体チューブは確実に固定され動作保証が確保できる。
【００６７】
【発明の効果】
以上の説明から明らかなように、本発明によれば、送風機、前記送風機のケーシングおよび前記送風機の上部に備えた熱交換器を有する温風暖房機において、下吹き暖房時に室内空気を吸い込むための下吹き用吸込み口と上吹き暖房時に室内空気を吸い込むために床面近傍に設けた上吹き用吸込み口とを切り換える風回路切り換え手段と、上吹き暖房時に温風を吹き出すための上吹き用吹き出し口と、前記上吹き用吹き出し口に設けた風向変更
羽根と、前記下吹き用吸い込み口近傍に位置し、前記風回路切り換え手段によって前記送風機の吹き出し側になる時は閉じ、吸い込み側になる時は開く開閉機構とを有する温風暖房機であり、暖房負荷が小さい場合、風回路を上吹出しへ切り換えると下吹き用吸い込み口が自然閉止して、温側吹き出し口から吹き出された比較的高い温度の温風の吹き出し速度を大きくできるため、より遠くまで循環し、床面近傍に設けた上吹き用吸い込み口から吸い込まれるので、部屋の上下温度差が小さく、気流感もない、快適な居住空間を得ることができる。
【００６８】
また、フイルタへの風の逆流が止められることで、下吹き時にフイルタに付着した埃を飛散させることがない。
【００６９】
また、自然開閉する開閉機構とすることで、開閉機構を駆動するための動力を必要としないので、大幅な省エネルギー効果が得られる。
【００７０】
また、請求項２記載の発明によれば、開閉機構は開く場合も閉じる場合も送風機による風圧によって自然開閉する構成とした請求項１記載の温風暖房機であり、下吹き用吸い込み口の前後の空気流れにより発生する風圧を利用することで、開閉機構を駆動するための特別な動力を必要としないので、大幅な省エネルギー効果が得られる。
【００７１】
また、開閉機構は両端に支持軸を有する複数枚のルーバーによって構成された温風暖房機であり、ルーバーを複数枚とすることで一枚のルーバーが小型軽量となり開閉に必要な風圧が少なくてすむために確実な開閉が可能となる。
【００７２】
また、開閉機構は逆止機能を有するエアフイルタによって構成された温風暖房機であり、開閉機構とエアフイルタの機能を一体化構成となることで、構造を簡素化できる。
【００７３】
また、開閉機構は一辺を固定された複数のリボン状薄膜によって構成された温風暖房機であり、リボン状薄膜を使用することで軽量化となる。
【００７４】
また、開閉機構は一端面を束ねて固定された細くて短い糸の束をエアフイルタの片面に植毛して構成された温風暖房機であり、短い糸の束を使用することでエアフイルタを薄型・軽量化できる。
【００７５】
また、開閉機構は熱応動によって自然開閉する構成とした温風暖房機であり、下吹き時室温の風で開となり、上吹き時熱交換器を通過した高温の温風温度で閉となる熱応動とすることで、動力を全く必要としないため、省エネルギーとなる。
【００７６】
また、開閉機構は形状記憶合金で形成された複数枚のルーバーによって構成された温風暖房機であり、ルーバー自体が形状記憶合金のため、ルーバー駆動に他の機構（バネとか軸受け等）を必要とせず、構造の簡略化が図れる。
【００７７】
また、開閉機構は熱膨張体を封入した弾性体チューブを複数本並べて構成された温風暖房機であり、下吹き時室温の風で熱膨張体を封入した弾性体チューブは収縮して下吹き用吸い込み口が開となり、上吹き時熱交換器を通過した高温の温風温度で熱膨張体を封入した弾性体チューブは膨張して下吹き用吸い込み口が閉となることで、動力を全く必要としないため、省エネルギーとなる。
【００７８】
また、熱膨張体を封入した弾性体チューブはコの字形状のケース内に一端を固定して構成された温風暖房機であり、弾性体チューブは確実に固定され動作保証が確保できる。
【図面の簡単な説明】
【図１】  本発明の実施例１における温風暖房機の下吹き出し状態を示す構成図
【図２】  同温風暖房機の上吹き出し状態を示す構成図
【図３】  同温風暖房機の開閉機構の斜視図
【図４】  同温風暖房機の上吹き風量に対する上下温度差を示す説明図
【図５】  同温風暖房機の風量に対する熱交換器能力を示す説明図
【図６】  同温風暖房機の気流説明図
【図７】  同温風暖房機の垂直温度分布説明図
【図８】  同温風暖房機の実施例２の開閉機構の斜視図
【図９】  同温風暖房機の実施例３の開閉機構の斜視図
【図１０】  （ａ）は同開閉機構の開時を示す部分構成図
（ｂ）は同開閉機構の閉時を示す部分構成図
【図１１】  （ａ）は同温風暖房機の実施例４の下吹き出し状態を示す構成図
（ｂ）は同温風暖房機の実施例４の上吹き出し状態を示す構成図
【図１２】  （ａ）は同温風暖房機の実施例５の下吹き出し状態を示す構成図
（ｂ）は同温風暖房機の実施例５の上吹き出し状態を示す構成図
【図１３】  （ａ）は同温風暖房機の実施例５の下吹き出し状態の開閉機構の断面図
（ｂ）は同温風暖房機の実施例５の上吹き出し状態の開閉機構の断面図
【図１４】  同温風暖房機の実施例５の開閉機構の一素子の斜視図
【図１５】  第一の従来例における温風暖房機の構成図
【図１６】  第二の従来例における温風暖房機の構成図
【図１７】  第一の従来例における温風暖房機の温度分布説明用の部屋の斜視図
【図１８】  同温風暖房機の吹き出し温度の分布説明図
【図１９】  同温風暖房機の垂直温度分布説明図
【符号の説明】
５  熱交換機
６  送風機
９Ａ  下吹き用吸い込み口
９Ｂ  上吹き用吸い込み口
１４  風回路切り換え手段
１５  ケーシング
１８  温側吹き出し口（上吹き用吹き出し口）
１９  冷側吹き出し口（上吹き用吹き出し口）
２０  風向変更手段
２１  温側風向変更羽根（風向変更羽根）
２２  冷側風向変更羽根（風向変更羽根）
２３  開閉機構
２５  支持軸
２６  ルーバー
２７  エアフイルタ
２８  風回路切り換え制御手段
２９  リボン状薄膜
３０  糸の束
３１  形状記憶合金で形成したルーバー
３２  熱膨張体
３３  弾性体チューブ
３５  コの字形状のケース
【図１】
0003837918.tif 000002
【図２】
0003837918.tif 000003
【図３】
0003837918.tif 000004
【図４】
0003837918.tif 000005
【図５】
0003837918.tif 000006
【図６】
0003837918.tif 000007
【図７】
0003837918.tif 000008
【図８】
0003837918.tif 000009
【図９】
0003837918.tif 000010
【図１０】
0003837918.tif 000011
【図１１】
0003837918.tif 000012
【図１２】
0003837918.tif 000013
【図１３】
0003837918.tif 000014
【図１４】
0003837918.tif 000015
【図１５】
0003837918.tif 000016
【図１６】
0003837918.tif 000017
【図１７】
0003837918.tif 000018
【図１８】
0003837918.tif 000019
【図１９】
0003837918.tif 000020